(57)【要約】【課題】シール切れの発生及び意匠性の低下の抑制を図るとともに、組付け性の向上を図ることのできるドアウエザストリップの取付構造を提供する。【解決手段】ドアウエザストリップ５は、ドア２の周縁部に沿って設けられるリテーナ部１０に取付けられる取付基部１１と、中空状の第１シール部１２と、取付基部１１からドア２外周側に延出する第２シール部１３と、取付基部１１から車外側に延出する第３シール部１４とを備える。第３シール部１４は、取付基部１１から車外側に延出する延出部２７と、延出部２７の先端部からドア２内周側に突出する突部２８とを備える。ドアウエザストリップ５の取付状態においては、突部２８の先端部が、リテーナ部１０のうち、取付基部１１の車外側の側辺部（車外側片部２２）を係止する車外側係止部３４のドア２外周側に設けられ、ドアウエザストリップ５の取付方向に対してほぼ直交する方向に延びる支持部３５と圧接する。【選択図】      図４
2010173443.tif 000002
【特許請求の範囲】
【請求項１】
車両のドアの周縁部に沿って設けられるリテーナ部に取付けられる取付基部と、
前記取付基部と一体成形され、中空部を有してなる第１シール部と、
前記第１シール部よりも車外側において前記取付基部からドア外周側に向けて延出する第２シール部と、
前記第２シール部よりも車外側において前記取付基部のドア外周側の部位から車外側に向けて延出する第３シール部とを備え、
ドアの閉鎖時には、前記第１及び第２シール部が車両本体に形成されたドア用開口部の周縁部に圧接して、前記車両本体と前記ドアとの間がシールされるドアウエザストリップの取付構造であって、
前記リテーナ部は、
前記取付基部の車内側の側辺部を係止する車内側係止部と、
前記取付基部の車外側の側辺部を係止する車外側係止部と、
前記車外側係止部のドア外周側、かつ、前記ドアウエザストリップの前記リテーナ部への取付状態において前記第３シール部の付根部よりもドア内周側に位置し、前記ドアウエザストリップの取付方向に対してほぼ直交する方向に延びる支持部とを備え、
前記第３シール部は、前記取付基部から車外側に向けて延出する延出部と、前記延出部の先端部又はその近傍からドア内周側に向けて前記延出部の延在方向に対して交差する方向に突出する突部とを備え、
前記ドアウエザストリップの取付状態において、前記突部の先端部と前記支持部とが圧接して、前記ドアウエザストリップと前記リテーナ部との間がシールされることを特徴とするドアウエザストリップの取付構造。
【請求項２】
前記第２シール部は、前記取付基部からドア外周側かつ車外側に向けて延びる基部と、前記基部の先端部からドア内周側かつ車外側に向けて延びる屈折部とを備え
ドアの閉鎖時において、前記基部と前記屈折部との境界部が前記ドア用開口部の周縁部と当接して前記基部がドア内周側に傾倒変形するとともに、前記屈折部の先端部が前記第３シール部の前記延出部のドア外周側の面と当接する構成であって、
前記ドアウエザストリップの取付状態において、前記第３シール部の前記延出部のドア外周側の面は、ドアを閉鎖する際の前記屈折部の変位方向に対して傾斜して延び、前記屈折部の先端部を車内側に向けて案内する案内面として構成されることを特徴とする請求項１に記載のドアウエザストリップの取付構造。
【請求項３】
少なくとも前記第３シール部の前記突部の先端部には摺動剤が塗布されていることを特徴とする請求項１又は２に記載のドアウエザストリップの取付構造。
【発明の詳細な説明】
【技術分野】
【０００１】
本発明は、車両のドアに取付けられるドアウエザストリップの取付構造に関するものである。
【背景技術】
【０００２】
一般に、自動車等のボディに形成されたドア用開口部を開閉するドアの周縁部にはドアウエザストリップが取付けられる。ドアウエザストリップは、ドア周縁部に沿って設けられたリテーナ部に取付けられる取付基部と、取付基部と一体形成され、中空部を有する中空シール部と、中空シール部よりも車外側において取付基部の上部からドア外周側に向けて延出するシールリップとを備えている。そして、ドアの閉鎖時には、ドアウエザストリップの中空シール部及びシールリップが自動車ボディのドア用開口部の周縁部に圧接することによって、ドアと自動車ボディとの間がシールされる（例えば、特許文献１参照）。
【０００３】
また、ドアウエザストリップは、シールリップよりも車外側において、取付基部の上部から車外側に向けて延びるサブリップを備えている。そして、ドアウエザストリップをリテーナ部に取付けることで、当該サブリップとリテーナ部とが圧接し、リテーナ部とドアウエザストリップとの間がシールされるようになっている。
【先行技術文献】
【特許文献】
【０００４】
【特許文献１】特開平１０−７６８４７号公報
【発明の概要】
【発明が解決しようとする課題】
【０００５】
ところで、リテーナ部のうちドアウエザストリップの取付方向に沿って延びる縦壁部に対し、縦壁部の延在方向に対して略直交して延びるサブリップの先端部を当接させる場合、製造誤差によりサブリップが短くなりすぎると、縦壁部とサブリップとが離間してシール切れを起こしてしまうおそれがある。一方、サブリップが長くなりすぎると、サブリップの収まりが悪くなり、サブリップが折れ曲がったり、サブリップの先端がリテーナ部よりも車外側に飛び出したりする等して意匠性の低下を招くおそれがある。
【０００６】
これに対し、前記縦壁部から車内側に向けて、ドアウエザストリップの取付方向に対してほぼ直交する方向に突出する支持部を設け、該支持部に対して、サブリップの裏面（ドア内周側の面）を当接させ、縦壁部とサブリップとの間に若干の隙間を形成することが考えられる。この場合、上記のようにサブリップの長さにばらつきが生じたとしても、シール切れの発生や意匠性の低下を抑制することができる。
【０００７】
しかしながら、サブリップの裏面を支持部に対して確実に面で当接させるべく、サブリップをドア内周側に傾けて形成した場合には、サブリップの裏面に対して摺動剤を塗布することが困難なものとなってしまうおそれがある。この場合、ドアウエザストリップのリテーナ部への組付け時において、サブリップ裏面の摺動剤が塗布されなかった部位とリテーナ部との間に働く摩擦力が大きくなり、組付け性の悪化を招くおそれがある。また、サブリップを捲ってサブリップの裏面に摺動剤を塗布する場合には製造作業性の低下を招くおそれがある。
【０００８】
本発明は上記問題点を解決するためになされたものであって、その目的は、シール切れの発生及び意匠性の低下の抑制を図るとともに、組付け性の向上を図ることのできるドアウエザストリップの取付構造を提供することにある。
【課題を解決するための手段】
【０００９】
以下、上記課題等を解決するのに適した各手段につき項分けして説明する。なお、必要に応じて対応する手段に特有の作用効果等を付記する。
【００１０】
手段１．車両のドアの周縁部に沿って設けられるリテーナ部に取付けられる取付基部と、
前記取付基部と一体成形され、中空部を有してなる第１シール部と、
前記第１シール部よりも車外側において前記取付基部からドア外周側に向けて延出する第２シール部と、
前記第２シール部よりも車外側において前記取付基部のドア外周側の部位から車外側に向けて延出する第３シール部とを備え、
ドアの閉鎖時には、前記第１及び第２シール部が車両本体に形成されたドア用開口部の周縁部に圧接して、前記車両本体と前記ドアとの間がシールされるドアウエザストリップの取付構造であって、
前記リテーナ部は、
前記取付基部の車内側の側辺部を係止する車内側係止部と、
前記取付基部の車外側の側辺部を係止する車外側係止部と、
前記車外側係止部のドア外周側、かつ、前記ドアウエザストリップの前記リテーナ部への取付状態において前記第３シール部の付根部よりもドア内周側に位置し、前記ドアウエザストリップの取付方向に対してほぼ直交する方向に延びる支持部とを備え、
前記第３シール部は、前記取付基部から車外側に向けて延出する延出部と、前記延出部の先端部又はその近傍からドア内周側に向けて前記延出部の延在方向に対して交差する方向に突出する突部とを備え、
前記ドアウエザストリップの取付状態において、前記突部の先端部と前記支持部とが圧接して、前記ドアウエザストリップと前記リテーナ部との間がシールされることを特徴とするドアウエザストリップの取付構造。
【００１１】
手段１によれば、ドアウエザストリップとリテーナ部との間をシールするべく、第３シール部とリテーナ部とを第３シール部（延出部）の延在方向において当接させるのではなく、ドアの内外周方向において第３シール部とリテーナ部とを当接させている。このため、製造誤差等に起因して第３シール部（延出部）の長さがばらついたとしても、シール切れを起こしたり、第３シール部がリテーナ部よりも車外側に飛び出すなどして意匠性の低下を招いたりするといった事態を防止することができる。
【００１２】
また、例えば、第３シール部が略直線状に構成されるとともに、第３シール部の裏面（ドア内周側の面）が支持部と面で当接する場合に比べ、第３シール部と支持部との接触面積を減らすことができる。従って、ドアウエザストリップの組付けに際し、両者間に働く摩擦力を低減させることができ、結果として、ドアウエザストリップの組付け作業性を向上させることができる。
【００１３】
尚、一般にドアウエザストリップの表面には摺動剤が塗布される。本手段の第３シール部に関しては、突部の先端部には摺動剤を比較的容易に（第３シール部を捲らなくても）塗布することができるが、延出部の裏面には上手く摺動剤を塗布することができないことが懸念される。しかしながら、本手段１では、突部の存在により基本的に延出部はリテーナ部と当接しない構成となっているため、延出部の裏面とリテーナ部とが擦れて両者間に摩擦力が作用するといったことがない。従って、延出部の裏面に摺動剤が塗布されなくても、組付け作業性の低下を招くことはない。
【００１４】
尚、リテーナ部は、「前記支持部の車外側端縁からドア外周側に向けて延びる縦壁部を備え」ていることとしてもよい。この場合、縦壁部によって第３シール部や取付基部を覆い隠すことができ、意匠性の向上等を図ることができる。
【００１５】
手段２．前記第２シール部は、前記取付基部からドア外周側かつ車外側に向けて延びる基部と、前記基部の先端部からドア内周側かつ車外側に向けて延びる屈折部とを備え
ドアの閉鎖時において、前記基部と前記屈折部との境界部が前記ドア用開口部の周縁部と当接して前記基部がドア内周側に傾倒変形するとともに、前記屈折部の先端部が前記第３シール部の前記延出部のドア外周側の面と当接する構成であって、
前記ドアウエザストリップの取付状態において、前記第３シール部の前記延出部のドア外周側の面は、ドアを閉鎖する際の前記屈折部の変位方向に対して傾斜して延び、前記屈折部の先端部を車内側に向けて案内する案内面として構成されることを特徴とする手段１に記載のドアウエザストリップの取付構造。
【００１６】
手段２によれば、第２シール部はドアの閉鎖時において第３シール部の延出部のドア外周側の面（外側面）と当接する屈折部を備えている。当該屈折部により、ドアの閉鎖時において第２シール部（基部）と第３シール部（延出部）との間に形成される隙間が閉塞され、外観品質の向上及び風切り音の抑制等が図られる。加えて、ドアの閉鎖時において、第２シール部が、基部の付根部と屈折部の先端部との２点で支持されるため、シール性の向上を図ることができる。
【００１７】
また、第３シール部の延出部は、ドアを閉鎖する際に第２シール部の屈折部を車内側に案内する案内面となっている。このため、例えば、ドアを閉鎖する際に、屈折部が車外側に変位してリテーナ部に当接してしまうことで第２シール部が突っ張ってしまい、ドアを閉め切る際に比較的大きな力を要してしまう（ドアの閉まりが悪くなってしまう）といった事態を回避することができる。
【００１８】
尚、第３シール部のうち、ドアを閉鎖する際に、第２シール部と最初に当接する部位は、第２シール部の基部と屈折部との境界部よりも車内側に位置していることとしてもよい。この場合、ドアの閉鎖時において第２シール部の基部及び屈折部がスムースに追従変形するといった作用効果が一層確実に奏されることとなり、ドアの閉まりが悪くなってしまうといった事態をより確実に防止することができる。
【００１９】
手段３．少なくとも前記第３シール部の前記突部の先端部には摺動剤が塗布されていることを特徴とする手段１又は２に記載のドアウエザストリップの取付構造。
【００２０】
手段３によれば、突部の先端部に摺動剤が塗布されるため、ドアウエザストリップのリテーナ部への組付け作業性を向上させるといった上記手段１の作用効果が一層確実に奏される。尚、「少なくとも前記第３シール部の前記突部の先端部及び前記延出部のドア外周側の面には摺動剤が塗布されていること」としてもよい。この場合、上記作用効果に加え、延出部の外側面に摺動剤が塗布されることにより、ドアを閉鎖する際に第３シール部の延出部によって第２シール部の屈折部を車内側に案内するといった上記手段２の作用効果が一層確実に奏される。
【図面の簡単な説明】
【００２１】
【図１】フロントドアが開状態にある自動車の斜視図である。
【図２】ドアウエザストリップの正面図である。
【図３】取付前のドアウエザストリップを示す図２のＪ−Ｊ線断面図である。
【図４】取付状態かつドアを閉鎖した状態におけるドアウエザストリップを示す断面図である。
【発明を実施するための形態】
【００２２】
以下に、一実施形態について図面を参照して説明する。図１に示すように、車両としての自動車１には、自動車ボディ３（車両本体）に形成されたドア用開口部４を開閉する自動車ドア（図ではフロントドア：以下、単に「ドア２」という）が設けられている。また、ドア２の外周縁には、ドア２の閉鎖時においてドア２とドア用開口部４の周縁部との間をシールするドアウエザストリップ５が取着されている。
【００２３】
図２に示すように、ドアウエザストリップ５は、ドア２の上辺部に沿って配設される押出成形部６と、ドア２の前後の縦辺部及び下辺部に沿って配設される押出成形部７と、ドア２のコーナー部に配設される型成形部（同図散点模様を付した部分）８、９とを備えている。押出成形部６，７は、図示しない押出成形機により長尺状に形成される。また、型成形部８、９は、隣接する押出成形部６、７の端部同士を接続するようにして所定の金型装置によって形成される。本実施形態では、ドアウエザストリップ５は、スポンジＥＰＤＭ（エチレン−プロピレン−ジエン共重合体ゴム）で構成されている。
【００２４】
図３に示すように、押出成形部６は、ドア２の外周縁に沿って設けられた断面略Ｃ字状のリテーナ部１０に嵌合される取付基部１１と、当該取付基部１１の車内側（図３左側）に突出形成され、内部に中空部１２ａを有してなる第１シール部１２と、第１シール部１２よりも車外側（図３右側）において取付基部１１からドア２の外周側（図３上側）に延出した第２シール部１３と、第２シール部１３よりも車外側において取付基部１１から車外側に延出した第３シール部１４とを備えている。本実施形態では、押出成形により、取付基部１１、第１シール部１２、第２シール部１３、及び第３シール部１４がいずれも同じ材料で同時に成形される。そして、ドア２の閉鎖時に、第１シール部１２及び第２シール部１３が自動車ボディ３のドア用開口部４の周縁部に圧接し、これにより、自動車ボディ３とドア２との間がシールされる（図４参照）。
【００２５】
取付基部１１は、略平板状の底板部１１ａと、底板部１１ａの上面からドア２外周側に向けてそれぞれ延出する車内側側壁部１１ｂ及び車外側側壁部１１ｃと、両側壁部１１ｂ、１１ｃの先端部間を連結する連結部１１ｄとを備えている。車内側側壁部１１ｂ及び車外側側壁部１１ｃは、底板部１１ａの側辺部よりも内側（底板部１１ａの車幅方向中央部側）に位置しており、これによって、底板部１１ａには、車内側側壁部１１ｂよりも車内側に位置する車内側片部２１と、車外側側壁部１１ｃよりも車外側に位置する車外側片部２２とが形成されている。
【００２６】
第１シール部１２は、車内側側壁部１１ｂと連結部１１ｄとの境界部から車内側に延出している。また、第１シール部１２のうち、ドア用開口部４の周縁部と当接する部位はその他の部位に比べ曲率が小さく設定されている。さらに、第１シール部１２のうち、ドア２の開放時に人目に触れにくい車内側片部２１側の部位には、リテーナ部１０（後述する車内側係止部３３）の外側面に当接する突起１８が形成されている。加えて、第１シール部１２には、その長手方向に沿って間欠的にエア抜き孔２０が形成されている。
【００２７】
第３シール部１４は、取付基部１１の車外側側壁部１１ｃと連結部１１ｄとの境界部から車外側に向けてほぼ直線状に延出する延出部２７と、延出部２７の先端部からドア２内周側（車外側片部２２側）に向けて延出部２７の延在方向とほぼ直交して突出する突部２８とを備え、断面略Ｌ字状をなしている。また、図４に示すように、第３シール部１４の突部２８は、ドアウエザストリップ５の取付状態においてリテーナ部１０（後述する支持部３５）と当接し、これにより、ドアウエザストリップ５とリテーナ部１０との間からの雨水等の浸入が防止される構成となっている。
【００２８】
第２シール部１３は、第１シール部１２よりも車外側、かつ、第３シール部１４よりも車内側において取付基部１１の連結部１１ｄからドア２外周側かつ車外側に向けて延びる基部２４と、基部２４の先端部からドア２内周側かつ車外側に向けて延びる屈折部２５とを備え、断面略く字状をなしている。図４に示すように、ドア２の閉鎖時には、基部２４と屈折部２５との境界部がドア用開口部４の周縁部と当接し、基部２４がドア２内周側に向けて傾倒変形するとともに、屈折部２５の先端部が第３シール部１４の延出部２７のドア２外周側の面（外側面）と当接する構成となっている。
【００２９】
尚、詳細な説明は省略するが、押出成形部７及び型成形部８，９に関しても、断面形状がやや異なるものの、押出成形部６とほぼ同様に取付基部１１や中空状の第１シール部１２等を備えた構成となっている。また、取付基部１１には、長手方向に沿って所定間隔毎に図示しないクリップが取付けられており、取付基部１１を断面略Ｃ字状のリテーナ部１０に嵌め込むとともに、クリップをリテーナ部１０に形成された取付孔に嵌め込むことでドアウエザストリップ５がドア２に取付けられている。
【００３０】
さらに、第３シール部１４の延出部２７の外側面及び突部２８の先端部等を含むドアウエザストリップ５の表面には、摺動剤としてのシリコンオイルがスプレー塗布されており、摺動性の向上が図られている。尚、本実施形態では、シリコンオイルを塗布する塗布工程において、ドアウエザストリップ５の断面形状を変形させることなくシリコンオイルをスプレー塗布する。これにより、例えば、ドアウエザストリップ５の断面形状を変化させつつ摺動剤を塗布する場合に比べ、製造作業性の向上を図ることができる。
【００３１】
また、図４に示すように、リテーナ部１０は、取付基部１１の底板部１１ａのドア２内周側の面と対向する底壁部３２と、底壁部３２の車内側端縁から上方に延出し、先端側が車外側に折り曲げられた車内側係止部３３と、底壁部３２の車外側端縁から上方に延出し、先端側が車内側に折り曲げられた車外側係止部３４と、車外側係止部３４の先端縁から車外側に折り返すようにして、車外側係止部３４のドア２外周側において、車外側係止部３４の先端側の部位と略平行して延びる支持部３５と、支持部３５の車外側端縁からドア２外周側に向けて延出する縦壁部３６とを備えている。本実施形態のリテーナ部１０は一枚の金属板を折り曲げることで形成されている。また、車内側係止部３３及び車外側係止部３４の各先端側の部位、及び支持部３５は、ドアウエザストリップ５の取付方向（ドア２の内外周方向：図４では上下方向）に対してほぼ直交する方向に延びている。尚、支持部３５は、ドアウエザストリップ５の取付状態において、第３シール部１４の延出部２７の付根部よりもドア２内周側に位置している。
【００３２】
そして、取付基部１１の底板部１１ａが、底壁部３２、車内側係止部３３、及び車外側係止部３４の内側に嵌め込まれることで、取付基部１１（底板部１１ａ）の車内側片部２１が車内側係止部３３に係止され、車外側片部２２が車外側係止部３４に係止される。また、第３シール部１４の突部２８の先端部が支持部３５のドア２外周側の面（図４では上面）に当接する。このとき、第３シール部１４は、延出部２７の付根部を中心に、ドア２外周側（図４では上方）に向けて若干傾動変位する。このように第３シール部１４が傾動変位することで、延出部２７が、ドア２を閉鎖する際の第２シール部１３の屈折部２５の変位方向に対して傾斜して延びることとなり、延出部２７の外側面は、ドア２を閉鎖する際に屈折部２５の先端部を車内側に案内する案内面となる。尚、本実施形態では、縦壁部３６によって第３シール部１４及び取付基部１１が車外側から覆い隠される（ドア２の閉鎖時においては、屈折部２５と延出部２７との当接部位についても隠される）こととなり、意匠性の向上等を図ることができる。
【００３３】
次に、ドア２を閉鎖する際のドアウエザストリップ５の変形動作について説明する。図４に示すように、ドア２を閉鎖すると、第１シール部１２は中空部１２ａが潰れるようにして変形する。このとき、突起１８がリテーナ部１０（車内側係止部３３）に当接して、第１シール部１２の倒れを防止する。
【００３４】
また、第２シール部１３に関しては、基部２４と屈折部２５との境界部がドア用開口部４の周縁部と当接し、基部２４がドア２内周側に向けて傾倒変形する。このとき、屈折部２５の先端部は、第３シール部１４の延出部２７の外側面に当接するとともに、当該延出部２７に案内されて車内側に変位する。また、第３シール部１４のうち、ドア２を閉鎖する際に、第２シール部１３と最初に当接する部位は、第２シール部１３の基部２４と屈折部２５との境界部よりも車内側に位置している。当該構成により、ドア２を閉鎖する際に、屈折部２５の先端部の車内側への変位が比較的スムースに行われるとともに、屈折部２５と延出部２７とが当接した後の基部２４のドア２内周側への傾倒変位が比較的スムースに行われる。
【００３５】
以上詳述したように、本実施形態では、ドアウエザストリップ５とリテーナ部１０との間をシールするべく、第３シール部１４とリテーナ部１０（縦壁部３６）とを第３シール部１４の延出部２７の延在方向において当接させるのではなく、ドア２の内外周方向において第３シール部１４とリテーナ部１０（支持部３５）とを当接させている。このため、製造誤差等に起因して第３シール部１４（延出部２７）の長さがばらついたとしても、シール切れを起こしたり、第３シール部１４がリテーナ部１０（縦壁部３６）よりも車外側に飛び出すなどして意匠性の低下を招いたりするといった事態を防止することができる。
【００３６】
また、例えば、第３シール部１４が略直線状に構成されるとともに、第３シール部１４の裏面（ドア２内周側の面）が支持部３５と面で当接する場合に比べ、第３シール部１４と支持部３５との接触面積を減らすことができる。従って、ドアウエザストリップ５の組付けに際し、両者間に働く摩擦力を低減させることができ、結果として、ドアウエザストリップ５の組付け作業性を向上させることができる。
【００３７】
さらに、第３シール部１４の突部２８の先端部には、摺動剤としてのシリコンオイルが塗布されており、摺動性の向上が図られている。このため、ドアウエザストリップ５のリテーナ部１０への組付け作業性を向上させるといった上記作用効果が一層確実に奏される。尚、突部２８の存在によって延出部２７の裏面（ドア２内周側の面）に対して摺動剤を上手く塗布できないことが懸念されるが、延出部２７は基本的にリテーナ部１０と当接しない構成となっているため、延出部２７の裏面とリテーナ部１０とが擦れて両者間に摩擦力が作用するといったことがない。従って、延出部２７の裏面に摺動剤が塗布されなくても、組付け作業性の低下を招くことはない。
【００３８】
また、第２シール部１３はドア２の閉鎖時において第３シール部１４の延出部２７のドア外周側の面（外側面）と当接する屈折部２５を備えている。当該屈折部２５により、ドア２の閉鎖時において第２シール部１３（基部２４）と第３シール部１４（延出部２７）との間に形成される隙間が閉塞され、外観品質の向上及び風切り音の抑制等が図られる。加えて、ドア２の閉鎖時において、第２シール部１３が、基部２４の付根部と屈折部２５の先端部との２点で支持されるため、シール性の向上を図ることができる。
【００３９】
さらに、第３シール部１４の延出部２７は、ドア２を閉鎖する際に第２シール部１３の屈折部２５を車内側に案内する案内面となっている。このため、例えば、ドア２を閉鎖する際に、屈折部２５が車外側に変位してリテーナ部１０に当接してしまうことで第２シール部１３が突っ張ってしまい、ドア２を閉め切る際に比較的大きな力を要してしまう（ドア２の閉まりが悪くなってしまう）といった事態を回避することができる。加えて、延出部２７の外側面に摺動剤が塗布されている。このため、ドア２を閉鎖する際に第３シール部１４の延出部２７によって第２シール部１３の屈折部２５を車内側に案内するといった上記作用効果が一層確実に奏される。
【００４０】
尚、上記実施の形態の記載内容に限定されず、例えば次のように実施してもよい。勿論、以下において例示しない他の応用例、変更例も当然可能である。
【００４１】
（ａ）上記実施形態では、第３シール部１４の突部２８が延出部２７の先端部から突出しているが、延出部２７の途中（略先端部）から突出する構成であってもよい。但し、製造誤差により延出部２７の先端部と縦壁部３６とが当接してしまうといった事態をより確実に防止するといった観点からすると、突部２８が延出部２７の先端部から突出することが望ましい。また、上記実施形態では、第２シール部１３が略く字状に構成されているが、略直線状に構成してもよい。さらに、第１シール部１２の形状についても特に限定されるものではなく、中空状をなしていればよい。例えば、突起１８やエア抜き孔２０を省略することも可能である。
【００４２】
（ｂ）上記実施形態では、フロントドアのドアウエザストリップ５について具体化したが、例えばリヤドア等その他のドアに取着されるドアウエザストリップにも適用することもできる。また、上記実施形態では、ドアウエザストリップ５をＥＰＤＭにより構成しているが、オレフィン系熱可塑性エラストマー（ＴＰＯ）等の他の素材により構成してもよい。さらに、上記実施形態では、取付基部１１、第１シール部１２、第２シール部１３、及び第３シール部１４がいずれも同一の材料で構成されているが、部分的に異なる材料を使用してもよい。例えば、第１、第２、及び第３シール部１２、１３、１４をスポンジＥＰＤＭで構成し、取付基部１１をソリッドＥＰＤＭ又は微発泡のスポンジＥＰＤＭで構成することとしてもよい。
【００４３】
（ｃ）上記実施形態のリテーナ部１０は、一枚の金属板を折り曲げることで形成されているが、例えば、車外側係止部３４と支持部３５とを折り重ねるのではなく、車外側係止部３４と支持部３５とが一枚の板状体となるように、リテーナ部を型成形によって形成することとしてもよい。
【符号の説明】
【００４４】
１…自動車、２…ドア、３…自動車ボディ、４…ドア用開口部、５…ドアウエザストリップ、１０…リテーナ部、１１…取付基部、１２…第１シール部、１３…第２シール部、１４…第３シール部、２４…基部、２５…屈折部、２７…延出部、２８…突部、３２…底壁部、３３…車内側係止部、３４…車外側係止部、３５…支持部、３６…縦壁部。
【図１】
2010173443.tif 000003
【図２】
2010173443.tif 000004
【図３】
2010173443.tif 000005
【図４】
2010173443.tif 000006